【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
複数の第１発光手段と、複数の第２発光手段とを含む複数の発光手段と、
発光対象となる発光手段を順次切り替えることにより複数の発光手段の制御を行う制御手段と、を備え、
複数の第１発光手段は、遊技の進行に応じて発光状態を更新する発光手段であり、
複数の第２発光手段は、遊技の履歴に基づく遊技情報を表示する発光手段であり、
複数の第１発光手段は、発光対象となる発光手段のグループとして、複数の第１発光グループに各々振り分けられているとともに、
複数の第２発光手段は、発光対象となる発光手段のグループとして、複数の第２発光グループに各々振り分けられており、
前記制御手段は、
複数の出力端子のうちのいずれかの出力端子から選択信号を出力する選択手段と、
前記第１発光グループに含まれる発光手段の発光態様を指定する第１発光態様信号を出力する第１発光態様信号出力手段と、
前記第２発光グループに含まれる発光手段の発光態様を指定する第２発光態様信号を出力する第２発光態様信号出力手段とを含み、
前記選択手段は、複数の前記第１発光グループのいずれかと複数の前記第２発光グループのいずれかとに対し共通の出力端子から前記選択信号を出力し、
前記選択信号が出力されている出力端子に対応する前記第１発光グループに含まれる発光手段は、前記第１発光態様信号により指定された発光態様で発光し、
前記選択信号が出力されている出力端子に対応する前記第２発光グループに含まれる発光手段は、前記第２発光態様信号により指定された発光態様で発光し、
前記複数の出力端子のうちの第１出力端子から前記選択信号が出力されておりかつ前記第１発光態様信号および前記第２発光態様信号が出力されている場合において、前記選択信号を出力する出力端子を第２出力端子に切換えるときに、
前記第１出力端子からの前記選択信号の出力を停止する選択信号停止処理と、
前記選択信号停止処理の後に、前記第１発光態様信号の出力を停止する第１発光態様信号停止処理と、
前記第１発光態様信号停止処理の後に、前記第２出力端子に対応する前記第１発光グループに含まれる発光手段の発光態様を指定する前記第１発光態様信号を出力する第１発光態様信号出力処理と、
前記選択信号停止処理の後に、前記第２発光態様信号の出力を停止する第２発光態様信号停止処理と、
前記第２発光態様信号停止処理の後に、前記第２出力端子に対応する前記第２発光グループに含まれる発光手段の発光態様を指定する前記第２発光態様信号を出力する第２発光態様信号出力処理と、
前記第１発光態様信号出力処理および前記第２発光態様信号出力処理の後に、前記第２出力端子から前記選択信号を出力する選択信号出力処理とが実行される、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
複数の第１発光手段と、複数の第２発光手段とを含む複数の発光手段と、
発光対象となる発光手段を順次切り替えることにより複数の発光手段の制御を行う制御手段と、を備え、
複数の第１発光手段は、遊技の進行に応じて発光状態を更新する発光手段であり、
複数の第２発光手段は、遊技の履歴に基づく遊技情報を表示する発光手段であり、
複数の第１発光手段は、発光対象となる発光手段のグループとして、複数の第１発光グループに各々振り分けられているとともに、
複数の第２発光手段は、発光対象となる発光手段のグループとして、複数の第２発光グループに各々振り分けられており、
前記制御手段は、
複数の出力端子のうちのいずれかの出力端子から選択信号を出力する選択手段と、
前記第１発光グループに含まれる発光手段の発光態様を指定する第１発光態様信号を出力する第１発光態様信号出力手段と、
前記第２発光グループに含まれる発光手段の発光態様を指定する第２発光態様信号を出力する第２発光態様信号出力手段とを含み、
前記選択手段は、複数の前記第１発光グループのいずれかと複数の前記第２発光グループのいずれかとに対し共通の出力端子から前記選択信号を出力し、
前記選択信号が出力されている出力端子に対応する前記第１発光グループに含まれる発光手段は、前記第１発光態様信号により指定された発光態様で発光し、
前記選択信号が出力されている出力端子に対応する前記第２発光グループに含まれる発光手段は、前記第２発光態様信号により指定された発光態様で発光し、
前記複数の出力端子のうちの第１出力端子から前記選択信号が出力されておりかつ前記第１発光態様信号および前記第２発光態様信号が出力されている場合において、前記選択信号を出力する出力端子を第２出力端子に切換えるときに、
前記第１出力端子からの前記選択信号の出力を停止する選択信号停止処理と、
前記選択信号停止処理の後に、前記第１発光態様信号の出力を停止する第１発光態様信号停止処理と、
前記第１発光態様信号停止処理の後に、前記第２出力端子に対応する前記第１発光グループに含まれる発光手段の発光態様を指定する前記第１発光態様信号を出力する第１発光態様信号出力処理と、
前記選択信号停止処理の後に、前記第２発光態様信号の出力を停止する第２発光態様信号停止処理と、
前記第２発光態様信号停止処理の後に、前記第２出力端子に対応する前記第２発光グループに含まれる発光手段の発光態様を指定する前記第２発光態様信号を出力する第２発光態様信号出力処理と、
前記第１発光態様信号出力処理および前記第２発光態様信号出力処理の後に、前記第２出力端子から前記選択信号を出力する選択信号出力処理とが実行される。
また、遊技機は、以下のような構成であってもよい。
（１）  遊技を行うことが可能な遊技機（たとえば、スロットマシン１）であって、
複数の第１発光手段（たとえば、図３に示すように、第１ＤＧ群を構成する６個のＤＧそれぞれに含まれる発光部）と、複数の第２発光手段（たとえば、図３に示すように、第２ＤＧ群を構成する４個のＤＧそれぞれに含まれる発光部）とを含む複数の発光手段と、
発光対象となる発光手段を順次切り替えることにより複数の発光手段の制御を行う制御手段（たとえば、メインＣＰＵ４１ａ）とを備え、
複数の第１発光手段は、発光対象となる発光手段のグループとして、複数の第１発光グループに各々振り分けられているとともに（第１ＤＧ群を構成する６個のＤＧ１〜ＤＧ６に振り分けられており）、
複数の第２発光手段は、発光対象となる発光手段のグループとして、複数の第２発光グループに各々振り分けられており（第２ＤＧ群を構成する４個のＤＧ１〜ＤＧ４に振り分けられており）、
前記制御手段は、
選択信号（たとえば、ＤＧ信号）を出力することにより発光対象となる発光手段のグループを選択する選択手段と、
前記選択手段により選択されたグループに含まれる発光手段の発光態様を指定する発光態様信号（たとえば、発光信号）を出力する発光態様信号出力手段とを含み、
前記第１発光グループの数と前記第２発光グループの数は異なり（第１ＤＧ群を構成するＤＧの数は６個であるのに対し、第２ＤＧ群を構成するＤＧの数は４個であり）、
前記発光態様信号出力手段は、前記第１発光グループに含まれる発光手段の発光態様を指定する発光態様信号と前記第２発光グループに含まれる発光手段の発光態様を指定する発光態様信号を別個に出力し（第１ＤＧ群に含まれるＤＧ１〜ＤＧ６それぞれの発光部の発光信号Ｓ０〜Ｓ６は第１出力ポート６１から出力され、第２ＤＧ群に含まれるＤＧ１〜ＤＧ４それぞれの発光部の発光信号Ｓ０〜Ｓ４は第２出力ポート６２から出力され）、
前記選択手段は、複数の前記第１発光グループのいずれかと複数の前記第２発光グループのいずれかとを共通の選択信号により選択する（第１ＤＧ群のＤＧ１〜ＤＧ４のいずれかと、第２ＤＧ群のＤＧ１〜ＤＧ４はそれぞれ共通の選択信号ＤＧ１〜ＤＧ４により選択される）。